(57)【要約】【課題】  マット主体のどの位置にペットが横臥ないし伏臥していても、当該ペットを、マット主体から転落や落下させることなく寝返りさせることができ、あるいは移動のために持ち上げることのできるペット介護用のマットを提供する。【解決手段】  マット主体２裏面の相対する縁部に、もしくは全周に亘って、前記マット主体２を持ち上げるための、又は移動させるため、さらには持ち上げて移動させるための持ち手４を形成してペット介護用マット１を構成する。【選択図】      図１
2015221018.tif 000002
【特許請求の範囲】
【請求項１】
マット主体の少なくとも相対する縁部に、前記マット主体を持ち上げおよび／または移動させるため持ち手がそれぞれ形成されていること
を特徴とするペット介護用マット。
【請求項２】
前記マット主体は、
各コーナー部にも持ち手が形成されていること
を特徴とする請求項１に記載のペット介護用マット。
【請求項３】
前記持ち手は、
前記マット主体の裏面に形成されていること
を特徴とする請求項１又は２に記載のペット介護用マット。
【請求項４】
前記持ち手は、
前記マット主体の裏面の、相対する側縁と、各コーナー部に設けられていること
を特徴とする請求項３に記載のペット介護用マット。
【請求項５】
前記マット主体は、
表面側の各コーナー部に、それぞれ係止ポケットが、その開口部を相対するコーナー部に向けて形成されていること
を特徴とする請求項１〜４のいずれかに記載のペット介護用マット。
【請求項６】
前記マット主体は、
その表面に体圧分散マットと、吸水および／または防臭機能を有する洗濯可能なマットが積層されていること
を特徴とする請求項１〜５のいずれかに記載のペット介護用マット。
【請求項７】
前記マット主体は、
側面視Ｕ字状の状態で持ち上げおよび／または移動させるためのショルダーベルトを有すること
を特徴とする請求項１〜６のいずれかに記載のペット介護用マット。
【請求項８】
前記マット主体は、
内部にクッション材を充填した袋体からなること
を特徴とする請求項１〜７のいずれかに記載のペット介護用マット。
【発明の詳細な説明】
【背景技術】
【０００１】
この発明は、犬や猫などのペットを介護するためのマットに関するものである。
より具体的には、老齢あるいは疾病、怪我などで自由に動くことのできないペットが、床ずれすることを防止し、さらには伏臥状態であっても、自由に場所を移動させることができるペット介護用マットに関するものである。 
【０００２】
老齢化や疾病などの理由で自由に行動することができないペットを、介護や移動させるために、従前からペット用マットが使用されている。
【０００３】
例えば、特許第４４３５０８１号公報（特許文献１）においては、
家畜の下に敷く家畜用敷物であって、矩形状をなす敷物本体と、
前記敷物本体に当該敷物本体の４隅部から突出させた状態で対角線状に交差して着けられ、縦長の楕円形状をなす１対の支持紐と
を備え、
前記支持紐の敷物本体に着けられた部分が、家畜を支持する支持部材としての機能を担う一方、
前記支持紐の敷物本体の４隅部から突出した部分が、取っ手としての機能を担う家畜用敷物が提案されている。
【０００４】
さらに、特開２００７−３７４１９号公報（特許文献２）においては、
厚手で弾力性のあるマット状の寝床乃至薄手のシーツ状の寝床等の、ペット用の寝床において、
前記寝床の片面、主として裏面に１本以上のループ状の紐を、
前記紐の端部を寝床の側辺から片輪状に突出してループ把手を形成した状態で、また、
前記ループ状の紐を２本以上用いる場合は、相互に平行若しくは交叉した状態で、
縫着等で一体的に取付け、もしくはマジックテープ（登録商標）等で着脱自在に取付けてなるループ把手を備えた
ペット用寝床が提案されている。
【０００５】
さらにまた、特開２１０１３−００００８０号公報（特許文献３）では、
犬用寝具と同程度の広さのマットと、
前記マット裏面であって、
該マット長手方向の中心付近について対称となる各位置に、ループ状に縫い付けた帯状ロープの、前記マットの短手方向両端からはみ出た部分である持ち手と、
前記マット表面長手方向の両端に設置され、ひっくり返すことで該マット裏面長手方向の両端に配置される袋状機構と、
前記マット短手方向の同じ側に備えられた２つの前記持ち手に装着される肩掛け用ベルトと
を有することからなる動物介護用マットが提案されている。
【０００６】
さらにまた、実用新案登録第３１２０８７５号公報（特許文献４）では、
おもて地、中綿、ハニカム状クッション層、プラスチック延伸細紐網、滑り止め層を有する裏面補強布を順次積層し、
上記おもて地と裏面補強布の周囲を縫合して、上記中綿、ハニカム状クッション層、プラスチック延伸細紐網を包み込んでなる
動物介護用持ち手付きマットが提案されている。
【先行技術文献】
【特許文献】
【０００７】
【特許文献１】特許第４４３５０８１号公報（請求項１，図２）
【特許文献２】特開２００７−３７４１９号公報（請求項１，図１）
【特許文献３】特開２１０１３−０００８０号公報（請求項１，図１）
【特許文献４】実用新案登録第３１２０８７５号公報（請求項１，図１）
【発明の概要】
【発明が解決しようとする課題】
【０００８】
前記特許文献１〜４のいずれに記載のペット用マットも、マット主体に設けられる複数の持ち手の位置が固定されたものである。
しかがって、マット主体に横臥ないしするペットが、マット主体の中央部に位置する場合には特段の支障が生じないが、中央位置から外れた位置に横臥している場合には、その状態でマット主体を持ち上げると、横臥ないし伏臥するペットがマット主体から転落や落下する危険性を有するものである。
【０００９】
この発明は前記解決すべき課題に鑑み、マット主体のどの位置にペットが横臥ないし伏臥していても、当該ペットを、マット主体から転落や落下させることなく寝返りさせることができ、あるいは移動のために持ち上げることのできるペット介護用のマットを提供することを目的とするものである。
【課題を解決するための手段】
【００１０】
前記目的を達成するため、この発明の請求項１に記載の発明は、
マット主体の少なくとも相対する縁部に、前記マット主体を持ち上げおよび／または移動させるため持ち手がそれぞれ形成されていること
を特徴とするペット介護用マットである。
【００１１】
この発明の請求項２に記載の発明は、
請求項１に記載のペット介護用マットにおいて、
前記マット主体は、
各コーナー部にも持ち手が形成されていること
を特徴とするものである。
【００１２】
この発明の請求項３に記載の発明は、
請求項１又は２に記載のペット介護用マットにおいて、
前記持ち手は、
前記マット主体の裏面に形成されていること
を特徴とするものである。
【００１３】
この発明の請求項４に記載の発明は、
請求項３に記載のペット介護用マットにおいて、
前記持ち手は、
前記マット主体の裏面の、相対する側縁と、各コーナー部に設けられていること
を特徴とするものである。
【００１４】
この発明の請求項５に記載の発明は、
請求項１〜４のいずれかに記載のペット介護用マットにおいて、
前記マット主体は、
表面側の各コーナー部に、それぞれ係止ポケットが、その開口部を相対するコーナー部に向けて形成されていること
を特徴とするものである。
【００１５】
この発明の請求項６に記載の発明は、
請求項１〜５のいずれかに記載のペット介護用マットにおいて、
前記マット主体は、
その表面に体圧分散マットと、吸水および／または防臭機能を有する洗濯可能なマットが積層されていること
を特徴とするものである。
【００１６】
この発明の請求項７に記載の発明は、
請求項１〜６のいずれかに記載のペット介護用マットにおいて、
前記マット主体は、
側面視Ｕ字状の状態で持ち上げおよび／または移動させるためのショルダーベルトを有すること
を特徴とするものである。
【００１７】
この発明の請求項８に記載の発明は、
請求項１〜７のいずれかに記載のペット介護用マットにおいて、
前記マット主体は、
内部にクッション材を充填した袋体からなること
を特徴とするものであるである。
【発明の効果】
【００１８】
この発明にかかるペット介護用マットは、マット主体の少なくとも相対する縁部に、前記マット主体を持ち上げおよび／または移動させるため持ち手を、それぞれ形成しているので、横臥もしくは伏臥状態でマット主体上にいるペットを、前記持ち手の位置を適宜選択して持ち上げることによって、マット主体上で寝返りをさせることができるとともに、ペットのマット上の位置を変えさせることなく、移動もしくは持ち運ぶことができる。
【００１９】
特に、この発明においては、前記持ち手をマット主体の裏面に形成しているので、ペットを寝かせるなどの介護するに際し、前記持ち手が邪魔になることがない。
【図面の簡単な説明】
【００２０】
【図１】この発明にかかるペット介護用マットの一例を示す斜視図である。
【図２】図１に示すペット介護用マットの使用状態を示す斜視図である。
【図３】図１に示すペット介護用マットの他の使用例を示す説明図である。
【図４】図１に示すペット介護用マットの、さらに他の使用例を示す説明図である。
【図５】この発明にかかるペット介護用マットの他の例を示す斜視図である。
【図６】図５に示すペット介護用マットの裏面側の斜視図である。
【図７】図５に示すペット介護用マットに使用するショルダーベルトの一例を示す斜視図である。
【図８】図５に示すペット介護用マットの他の使用例を示す説明図である。
【図９】この発明にかかるペット介護用マットのさらに他の例を説明図である。
【発明を実施するための形態】
【００２１】
以下、この発明にかかるペット介護用マットの実施の一例を、添付の図面に基づいて具体的に説明する。
なお、この発明は、以下の実施例にのみ限定されるものではなく、この発明の要旨を変更しない範囲内で種々変更を加えることができるものである。
【００２２】
この発明のペット介護用マット１は、例えば、方形のマット主体２の表面各コーナー部に、それぞれ三角形状の係止ポケット３がそれぞれ設けられるとともに、裏面の周縁に沿って持ち手４が形成されたものである。
【００２３】
前記持ち手４は、図１で明らかなように、所要の幅のベルト部材４を、前記マット主体２の裏面四周を囲繞するようにして取付けたものである。
なお、前記持ち手４は、ベルト部材に代えて紐状のものであってもよい。
【００２４】
前記構成からなるペット介護用マット１は、前記マット主体２の上面に直接ペットを腹這い状態で載せて使用することもできるが、汚損した場合には廃棄ないしは清掃作業を必要とするので、その表面に体圧分散マット６と、吸水および／または防臭機能を有するカバー部材７を順次積層して使用することが好ましいものである。
【００２５】
この実施例においては、合成皮革製の方形のマット主体２の表面に、低反発の体圧分散マット６と、ポリエステル不織布からなるカバー部材７を順次積層したのち、前記係止ポケット３を利用して固定し、ペット介護用マット１を構成したものである。
なお、前記体圧分散マット６は、防水機能を併せ持つことがより好ましい。
【００２６】
前記吸水性を有するカバー部材７は、実質的にペットが直接排尿または排便をするためのものであるので、消臭機能を有し、繰り返し洗濯によって再使用が可能なものが好ましい。
【００２７】
前記マット主体２は、その裏面部にベルト状の持ち手４を連続的に形成することによって、どの位置においてもマット主体２を持ち上げることができる。
したがって、図２に示すように、ペットＰをペット介護用マット１上に伏臥させた状態で、前記持ち手４を使用して移動させる際に、図３に示すように、相対する縁部から突出する持ち手８を別途設けることによって、図４に示す態様でペットを持ち運びすることもできる。
【００２８】
なお、図３は、この発明のペット介護用マット１上にペットＰが伏臥している状態を表しているが、このペット介護用マット１の下に、温風又は冷風をマット主体２に向けて供給する送風機能を有するシート部材９を配することで、よりペットを快適に過ごさせることができる。
【００２９】
かかる構成からなるペット介護用マット１は、マット主体上２に歩行困難や疾病などで寝たきりのペットを、横臥もしくは伏臥状態で載せ、床ずれ防止のための寝返りや場所の移動に際しては、そのために最適な位置にある持ち手４を選択し、寝返りを補助し、移動を行うものである。
【００３０】
図５は、この発明にかかるペット介護用マットの他の実施例を示すもので、表面側がポリエステル生地で、裏面側がナイロン生地からなる袋体内にウレタンからなるクッション材を充填して形成した厚さ１０ｍｍ程度の矩形状の袋体によって、マット主体１０を構成したものである。
【００３１】
このマット主体１０の裏面１０ａには、図６に示すように、各コーナー部に持ち手としてのグリップベルト１１が設けられるとともに、長手方向において相対する縁部に沿っても所要長さのグリップベルト１２が設けられたものである。
【００３２】
したがって、使用に際しては、前記マット主体１０の表面側にペットを腹這い状態で搭載したのち、短手方向において相対する一方のグリップベルト１１，１１同士を、図７に示す平面Ｈ状のショルダーベルト１３の一方側のフックＦ１，Ｆ１と、他方側のフックＦ２，Ｆ２を他方のグリップベルト１１，１１に係合させて持ち上げることによって、マット主体１０を全体がＵ字状になるよう折り曲げてペットを抱持するものである。
【００３３】
なお、前記のようにマット主体１０を利用してペットを移動させる場合には、図８に示すように、マット主体１０の上面に低反発で防水性を有する体圧分散マット１４と、吸水性および脱臭性を有し、洗濯可能なカバー部材１５を積層し、このカバー部材１５の裏面コーナー部に設けた伸縮可能なベルト部材１６によって一体化させて使用することが好ましい。
【００３４】
図９に示すさらに他のマット主体２は、ベルト部材５の長手方向に沿う一方の縁部を、前記マット主体２の裏面側縁部に沿って縫着させたのち、前記縫着部から他方の縁部に向かって所要の間隔でマット主体２に縫着部Ｓを形成し、指を差し込むための開口部４ａを有する袋状の持ち手４を連続的に形成したものである。
【００３５】
なお、前記袋状の持ち手４は、所要の幅を有するベルト部材５の長手方向に沿う一方の縁部を前記マット主体２の裏面側縁部に沿って縫着させ、他方の縁部をマット主体２に縫着せず、フリーな状態として構成することもできる。
【００３６】
かかるマット主体２は、裏面部に袋状の持ち手４を連続的に形成したものであるが、図３に示すように、ペットＰをペット介護用マット１上に伏臥させた状態で持ち運びするため、相対する縁部から突出する持ち手８を設けることによって、図４に示す態様でペットを持ち運びすることもできる。
【産業上の利用可能性】
【００３７】
この発明のペット介護用マットは、裏面に設けられた持ち手を利用することによって、マット上でペットを移動させることなく移動ないしは持ち運びすることができるので、家庭内で飼われる多くの愛玩動物に利用することができるものである。
【符号の説明】
【００３８】
１          ペット介護用マット
２，１０    マット主体
３          係止ポケット
４，８      持ち手
４ａ        開口部
５          ベルト部材
６          体圧分散用マット
７          カバー部材
９          送風機能を有するシート部材
１１，１２  グリップベルト
１３        ショルダーベルト
Ｐ          ペット
【図１】
2015221018.tif 000003
【図２】
2015221018.tif 000004
【図３】
2015221018.tif 000005
【図４】
2015221018.tif 000006
【図５】
2015221018.tif 000007
【図６】
2015221018.tif 000008
【図７】
2015221018.tif 000009
【図８】
2015221018.tif 000010
【図９】
2015221018.tif 000011